(57)【要約】      （修正有）【課題】逆止弁を熱溶着により袋に取り付ける際逆止弁の空気注入路が誤って閉塞されることがない逆止弁と袋を提供すること。【解決手段】第１フィルム３と、上記第１フィルムに重合され左右両側部を溶着されることにより上記第１フィルムとの間に空気注入路を形成する第２フィルム５と、上記第１フィルムの上記第２フィルム側の面に設けられた第１非溶着部２１と、上記第２フィルムの上記第１フィルム側の面に設けられ上記第１非溶着部に重合される第２非溶着部２３と、を具備したもの。【選択図】図１
2020148267.tif 000002
【特許請求の範囲】
【請求項１】
第１フィルムと、
上記第１フィルムに重合され左右両側部を溶着されることにより上記第１フィルムとの間に空気注入路を形成する第２フィルムと、
上記第１フィルムの上記第２フィルム側の面に設けられた第１非溶着部と、
上記第２フィルムの上記第１フィルム側の面に設けられ上記第１非溶着部に重ね合される第２非溶着部と、
を具備したことを特徴とする逆止弁。
【請求項２】
請求項１記載の逆止弁において、
上記第１非溶着部と上記第２非溶着部には色が付けられていることを特徴とする逆止弁。
【請求項３】
請求項２記載の逆止弁において、
上記第１非溶着部と上記第２非溶着部には異なる色が付けられていることを特徴とする逆止弁。
【請求項４】
請求項３記載の逆止弁において、
上記第１非溶着部には青色が付けられていて、上記第２非溶着部には黄色が付けられていることを特徴とする逆止弁。
【請求項５】
請求項１〜請求項４の何れかに記載の逆止弁において、
上記第２フィルムはその端を上記第１フィルムの端に対して長手方向にずらした状態で重ね合されていることを特徴とする逆止弁。
【請求項６】
請求項１〜請求項５の何れかに記載の逆止弁において、
逆止弁を袋の開口部にセットする際その位置を決める為の位置決め部が設けられていることを特徴とする逆止弁。
【請求項７】
請求項６記載の逆止弁において、
上記位置決め部は２本のラインから構成されていて、一方のラインを上記袋の開口部の縁に合わせることにより位置決めし、上記二本のラインの間を熱溶着するようにしたことを特徴とする逆止弁。
【請求項８】
請求項１〜請求項７の何れかに記載の逆止弁において、
上記第２非溶着部は上記第１非溶着部に対して幅狭に設けられていることを特徴とする逆止弁。
【請求項９】
請求項１〜請求項８の何れかに記載の逆止弁において、
上記第１非溶着部と上記第２非溶着部は印刷により面状に設けられていることを特徴とする逆止弁。
【請求項１０】
請求項１〜請求項９の何れかに記載の逆止弁を備えたことを特徴とする袋。
【請求項１１】
請求項１０記載の袋において、
緩衝用であることを特徴とする袋。
【請求項１２】
請求項１０記載の袋において、
包装用であることを特徴とする袋。
【請求項１３】
請求項１０記載の袋において、
緩衝・包装用であることを特徴とする袋。
【請求項１４】
請求項１０記載の袋において、
梱包用であることを特徴とする袋。
【発明の詳細な説明】
【技術分野】
【０００１】
本願発明は、例えば、卵、豆腐、野菜、果物、牛乳といった断熱材を必要とする飲食物、衣類、調度品といった生活用品、壊れ易い電子部品、精密機器、半導体、等の物品（以下、被搬送体という。）を搬送する場合に使用される逆止弁と袋に係り、特に、逆止弁を袋に取り付ける際の熱溶着により逆止弁の空気注入路が誤って閉塞されることがないように工夫したものに関する。
【背景技術】
【０００２】
この種の逆止弁は概略次のような構成をなしている。
まず、表側フィルムと裏側フィルムがあり、これら表側フィルムと裏側フィルムが重ね合されていてその左右両側部が熱溶着されている。上記表側フィルムと上側フィルムの間であって上記左右の熱溶着部の間は空気注入路となっている。又、上記左右の熱溶着部には複数個の枝状熱溶着部が設けられている。
【０００３】
上記逆止弁は、例えば、フィルム状の緩衝袋の開口部に熱溶着により取り付けられる。すなわち、緩衝袋の開口部に上記逆止弁を挿し込んだ状態で上記開口部を熱溶着により閉じる。その際、逆止弁の空気注入路が閉塞されないように、上記裏側フィルムの内面には非溶着部が印刷により設けられている。このような非溶着部を設けた部位は熱溶着により溶着されることはなくその結果上記空気注入路は確保される。
【０００４】
上記緩衝袋内に空気を注入する場合には、緩衝袋の外に飛び出ている逆止弁の空気注入口にエアーガンのノズルを挿し込んで空気を注入する。注入された空気は逆止弁の空気注入路を介して緩衝袋内に封入される。封入された空気は表側フィルムと裏側フィルムが密着されることにより外に漏れることはない。上記逆止弁は上記緩衝袋だけでなくフィルム状の包装袋、梱包袋（段ボール箱内に収容されることなくそのまま出荷される袋）にも適用される。
【０００５】
この種の逆止弁の構成を開示するものとして、例えば、特許文献１、特許文献２、等がある。これらは何れも本件特許出願人によるものである。
尚、最近では裏側フィルムの非溶着部に色を付けたものもある。
【先行技術文献】
【特許文献】
【０００６】
【特許文献１】特開平５−１１８４５５号公報
【特許文献２】特開２０１２−１０１８１９号公報
【発明の概要】
【発明が解決しようとする課題】
【０００７】
上記従来の構成によると次のような問題があった。
すなわち、逆止弁をフィルム状の緩衝袋、包装袋、梱包袋の開口部に熱溶着により取り付ける際、空気注入路が誤って閉塞されてしまうことがあるという問題があった。これは熱溶着時の熱溶着温度のバラツキ、非溶着部を提供するための印刷面の塗膜の厚さのバラツキ、等に起因する。
通常は熱溶着後に治具を使用した空気注入路貫通チェックが行われるので、空気注入路が閉塞された逆止弁を備えた緩衝袋、包装袋、梱包袋がそのまま出荷されることはないが、不良品として処理されることになり歩留まりが低下してしまう。
【０００８】
本発明はこのような点に基づいてなされたものでその目的とするところは、逆止弁を熱溶着により袋に取り付ける際逆止弁の空気注入路が誤って閉塞されることがない逆止弁とその逆止弁を使用した袋を提供することにある。
【課題を解決するための手段】
【０００９】
上記目的を達成するべく本発明の請求項１による逆止弁は、第１フィルムと、上記第１フィルムに重合され左右両側部を溶着されることにより上記第１フィルムとの間に空気注入路を形成する第２フィルムと、上記第１フィルムの上記第２フィルム側の面に設けられた第１非溶着部と、上記第２フィルムの上記第１フィルム側の面に設けられ上記第１非溶着部に重ね合される第２非溶着部と、を具備したことを特徴とするものである。
又、請求項２による逆止弁は、請求項１記載の逆止弁において、上記第１非溶着部と上記第２非溶着部には色が付けられていることを特徴とするものである。
又、請求項３による逆止弁は、請求項２記載の逆止弁において、上記第１非溶着部と上記第２非溶着部には異なる色が付けられていることを特徴とするものである。
又、請求項４による逆止弁は、請求項３記載の逆止弁において、上記第１非溶着部には青色が付けられていて、上記第２非溶着部には黄色が付けられていることを特徴とするものである。
又、請求項５による逆止弁は、請求項１〜請求項４の何れかに記載の逆止弁において、上記第２フィルムはその端を上記第１フィルムの端に対して長手方向にずらした状態で重ね合されていることを特徴とするものである。
又、請求項６による逆止弁は、請求項１〜請求項５の何れかに記載の逆止弁において、逆止弁を袋の開口部にセットする際その位置を決める為の位置決め部が設けられていることを特徴とするものである。
又、請求項７による逆止弁は、請求項５記載の逆止弁において、上記位置決め部は２本のラインから構成されていて、一方のラインを上記袋の開口部の縁に合わせることにより位置決めし、上記二本のラインの間を熱溶着するようにしたことを特徴とするものである。
又、請求項８による逆止弁は、請求項１〜請求項７の何れかに記載の逆止弁において、上記第２非溶着部は上記第１非溶着部に対して幅狭に設けられていることを特徴とするものである。
又、請求項９による逆止弁は、請求項１〜請求項８の何れかに記載の逆止弁において、上記第１非溶着部と上記第２非溶着部は印刷により面状に設けられていることを特徴とするものである。
又、請求項１０による袋は、請求項１〜請求項９の何れかに記載の逆止弁を備えたことを特徴とするものである。
又、請求項１１による袋は、請求項１０記載の袋において、緩衝用であることを特徴とするものである。
又、請求項１２による袋は、請求項１０記載の袋において、包装用あることを特徴とするものである。
又、請求項１３による袋は、請求項１０記載の袋において、緩衝・包装用であることを特徴とするものである。
又、請求項１４による袋は、請求項１０記載の袋において、梱包用であることを特徴とするものである。
【発明の効果】
【００１０】
以上述べたように本発明の請求項１による逆止弁によると、第１フィルムと、上記第１フィルムに重合され左右両側部を溶着されることにより上記第１フィルムとの間に空気注入路を形成する第２フィルムと、上記第１フィルムの上記第２フィルム側の面に設けられた第１非溶着部と、上記第２フィルムの上記第１フィルム側の面に設けられ上記第１非溶着部に重合される第２非溶着部と、を具備した構成になっているので、非溶着部が二重に設けられたことにより、逆止弁を熱溶着により袋の開口部に取り付ける際空気注入路が誤って閉塞されてしまうことを防止することができる。
又、請求項２に記載された逆止弁によると、請求項１記載の逆止弁において、上記第１非溶着部と上記第２非溶着部には色が付けられているので、第１非溶着部と第２非溶着部が確実に設けられていることを視認することができ、上記第１非溶着部と第２非溶着部が重ね合されていることを視認することができる。
又、請求項３に記載された逆止弁によると、請求項２記載の逆止弁において、上記第１非溶着部と上記第２非溶着部には異なる色が付けられているので、第１フィルムと第２フィルムの境目、すなわち、空気注入口を容易に特定することができる。
又、請求項４に記載された逆止弁によると、請求項３記載の逆止弁において、上記第１非溶着部には青色が付けられていて、上記第２非溶着部には黄色が付けられているので、上記効果をより高めることができる。
又、請求項５に記載された逆止弁によると、請求項１〜請求項４の何れかに記載の逆止弁において、上記第２フィルムはその端を上記第１フィルムの端に対してずらした状態で重ね合されているので、それによっても、第１フィルムと第２フィルムの境目、すなわち、空気注入口を容易に特定することができる。
を容易に視認することができる。
又、請求項６に記載された逆止弁によると、請求項１〜請求項５の何れかに記載の逆止弁において、逆止弁を袋の開口部にセットする際その位置を決める為の位置決部が設けられているので、逆止弁の袋の開口部に対する位置決作業の容易化を図ることができる。
又、請求項７に記載された逆止弁によると、請求項６記載の逆止弁において、上記位置決部は２本のラインから構成されていて、一方のラインを上記袋の開口部の縁に合わせることにより位置決めし、上記二本のラインの間を溶着するようにしたので、逆止弁の袋の開口部に対する位置決作業の容易化を図ることができるとともに熱溶着位置の特定も容易になる。
又、請求項８に記載された逆止弁によると、請求項１〜請求項７の何れかに記載の逆止弁において、上記第２非溶着部は上記第１非溶着部に対して幅狭に設けられているので、逆止弁製造時に第１フィルムと第２フィルムが幅方向に僅かにずれるようなことがあってもこれを吸収することができる。
又、請求項９に記載された逆止弁によると、請求項１〜請求項８の何れかに記載の逆止弁において、上記第１非溶着部と上記第２非溶着部は印刷により面状に設けられているので、第１非溶着部と上記第２非溶着部を設ける作業も容易である。
又、請求項１０に記載された袋によると、請求項１〜請求項９の何れかに記載の逆止弁を具備した構成になっているので、逆止弁の空気注入路が閉塞された不良品になる確率は低く袋としての品質の向上を図ることができる。
又、請求項１１に記載された袋によると、請求項１０記載の袋において、緩衝用であるので緩衝用の袋としての品質の向上を図ることができる。
又、請求項１２に記載された袋によると、請求項１０記載の袋において、包装用あるので、包装用の袋としての品質の向上を図ることができる。
又、請求項１３に記載された袋によると、請求項１０記載の袋において、緩衝・包装用であるので、緩衝・包装用の袋としての品質の向上を図ることができる。
又、請求項１４による袋によると、梱包用の袋としての品質の向上を図ることができる。
【図面の簡単な説明】
【００１１】
【図１】本発明の第１の実施の形態を示す図で、逆止弁の斜視図である。
【図２】本発明の第１の実施の形態を示す図で、逆止弁の平面図である。
【図３】本発明の第１の実施の形態を示す図で、図３（ａ）は第１フィルムの一部平面図、図３（ｂ）は第２フィルムの一部平面である。
【図４】本発明の第１の実施の形態を示す図で、第１フィルムの上に第２フィルムを重ねた状態を示す一部平面図である。
【図５】本発明の第１の実施の形態を示す図で、第１フィルムの上に第２フィルムを重ねた状態で所定位置を熱溶着し切断して逆止弁を製造する様子を示す平面図である。
【図６】本発明の第１の実施の形態を示す図で、逆止弁をフィルム状の緩衝袋の開口部に位置決めして熱溶着により固定した状態を示す平面図である。
【図７】本発明の第１の実施の形態を示す図で、非搬送体が収容された段ボール箱内の所定位置に緩衝袋を内装した状態で梱包した後逆止弁を介して空気を注入している様子を示す斜視図である。
【図８】本発明の第２の実施の形態を示す図で、フィルム状の緩衝・包装袋の包装袋内に長尺の被搬送体が挿入された状態を示す平面図である。
【図９】本発明の第２の実施の形態を示す図で、フィルム状の緩衝・包装袋の包装袋内に長尺の被搬送体が収容された状態で段ボール箱内に挿入した状態を示す平面図である。
【図１０】本発明の第２の実施の形態を示す図で、フィルム状の緩衝・包装袋の包装袋内に長尺の被搬送体を収容した状態で段ボール箱内に挿入して梱包した後に逆止弁を介して空気を注入している様子を示す斜視図である。
【発明を実施するための形態】
【００１２】
以下、図１乃至図７を参照して本発明の第１の実施の形態を説明する。図１は本実施の形態による逆止弁１の構成を示す斜視図である。上記逆止弁１は第１フィルム３と第２フィルム５を重ね合せた構成をなしている。上記第１フィルム３と第２フィルム５は左右両側部を熱溶着されている。図中熱溶着部を符号７、９で示す。上記第１フィルム３と第２フィルム５の間であって上記熱溶着７と熱溶着部９との間が空気注入路１１となっている。上記熱溶着部７、９には内側に突出した複数個の枝状熱溶着部１３が設けられている。
【００１３】
又、上記第２フィルム５は上記第１フィルム３に対して所定量短くなっており、第２フィルム５の図１中右端は第１フィルム３の右端に対して所定量ずれている。上記第２フィルム５の右端の位置が空気注入口１５となっている。上記第２フィルム５の右端を上記第１フィルム３の右端に対して所定量ずらすことにより、上記空気注入口１５の位置を特定し易くしている。
【００１４】
上記第１フィルム３の上記第２フィルム５側の面には第１非溶着部２１が設けられている。又、上記第２フィルム５の上記第１フィルム３側の面には第２非溶着部２３が設けられている。上記第１非溶着部２１と第２非溶着部２３は輪転機による印刷により面状に設けられていて、熱溶着を施されても溶着されない非溶着特性を備えている。
尚、上記第１非溶着部２１と第２非溶着部２３の何れか一方でも非溶着特性を発揮することはできるが、本実施の形態の場合にはそれをより確実なものとするべく二重に設けている。
【００１５】
又、上記第１非溶着部２１は青色に着色されているとともに、上記第２非溶着部２３は黄色に着色されている。それによって、第１非溶着部２１と第２非溶着部２３が設けられていることの視認を可能にし、空気注入口１５の位置の特定を容易なものにしている。
【００１６】
又、上記第２非溶着部２３は上記第１非溶着部２１の幅に対して所定量だけ幅狭に設けられている。それによって、逆止弁１の製造時において上記第２非溶着部２３の第１非溶着部２１に対する位置ずれのバラツキを吸収する。
【００１７】
又、上記逆止弁１には位置決め部３１が設けられている。この位置決め部３１は二本のライン３３、３５とから構成されている。上記ライン３３、３５は上記第１非溶着部２１と第２非溶着部２３が重なっている所定位置に設けられていて、第１非溶着部２１側に非着色部を二本設けることにより提供されている。つまり、ライン３３、３５の部分は上記第２非溶着部２３の黄色がそのまま視え、その他の部分は上記第１非溶着部２１の青色と第２非溶着部２３の黄色が重なって黄緑色に視える。
【００１８】
上記二本のライン３３、３５は、図６に示すように、逆止弁１を、例えば、フィルム状の緩衝袋に取り付ける際に位置決め用として機能するとともに熱溶着位置の特定に寄与する。これについては追って詳細に説明する。
【００１９】
次に、図３乃至図５を参照して逆止弁１の製造工程を説明する。
まず、図３（ａ）に示すように、第１フィルム３があり、図３（ｂ）に示すように、第２フィルム５がある。上記第１フィルム３の表面には第１非溶着部２１が輪転機による印刷により所定のピッチで複数設けられている。又、上記第２フィルム５の裏面には第２非溶着部２３が輪転機による印刷により所定のピッチで複数設けられている。
【００２０】
次に、図４に示すように、上記第１フィルム３の上に上記第２フィルム５を長手方向に所定量オフセットさせた状態、すなわち、第１フィルム３の端に対して第２フィルム５の端を所定量ずらした状態で重ね合せる。
次に、図５に示すように、上記第１非溶着部２１と第２非溶着部２３が重なった部分の両側部を熱溶着する。
後は切断することにより既に説明した逆止弁１を得る。
【００２１】
次に、上記逆止弁１をフィルム状の緩衝袋４１に取り付ける工程を説明する。上記緩衝袋４１は２枚のフィルム４３、４５を重ねあわせて三辺を熱溶着した構成になっている。図中熱溶着部を符号４７、４９、５１で示す。又、残りの一辺は開口部５３となっている。
【００２２】
逆止弁１を上記緩衝袋４１に取り付ける場合には、逆止弁１を上記開口部５３の所定位置に挿し込む。その際、ライン３７を開口部５３の縁に合せる。それによって、逆止弁１の差込位置を決める。次に、ライン３５、３７の間を通るように、開口部５３を全長にわたって熱溶着する。図中熱溶着部を符号５５で示す。これによって、逆止弁１が緩衝袋４１に取り付けられる。
【００２３】
逆止弁１において、第１非溶着部２１と第２非溶着部２３が設けられている部位は第１フィルム３と第２フィルム５同士が熱溶着により溶着されることはなく空気注入路１１が閉塞されることもない。又、逆止弁１の第１フィルム３は熱溶着により緩衝袋４１のフィルム４５に溶着され、第２フィルム５は熱溶着により緩衝袋４１のフィルム４３に溶着される。
【００２４】
次に、実際の梱包作業について説明する。
まず、図６に示した緩衝袋４１は、図７に示すように、段ボール箱６１内にＬ字状に配置される。上記段ボール箱６１内であって緩衝袋４１の下には図示しない被搬送体が内装されている。
【００２５】
段ボール箱６１の天板と側板の境界部には切起片６３が切り起されていて開口部６５が設けられている。上記開口部６５を介して逆止弁１が上記切起片６３上に引き出されている。上記逆止弁１を介してエアーガン６７によって空気の注入が行われる。それによって、緩衝袋４１が膨張して緩衝機能が発揮される状態となる。上記切起片６３を上記開口部６５を介して段ボール箱６１内に押し込んで出荷可能状態となる。
【００２６】
以上、本実施の形態によると次のような効果を奏することができる。
まず、逆止弁１を緩衝袋４１に取り付ける際、逆止弁１の空気注入路１１が熱溶着により誤って閉塞されてしまうことを防止することができる。これは、第１非溶着部２１だけでなく第２非溶着部２３を設けたからであり、それによって、熱溶着時における非溶着性能が向上したからである。
又、緩衝袋４１としての品質も向上し、不良品として処理されるものも少なくなるので歩留まりも高くなる。
又、第１非溶着部２１と第２非溶着部２３には色が付けられているので、第１非溶着部２１と第２非溶着部２３が確実に設けられていることを視認できるとともに、第１非溶着部２１と第２非溶着部２３が確実に重ね合されていることをも視認することができる。
又、逆止弁１を緩衝袋４１に熱溶着により取り付ける際、逆止弁１の第１フィルム３が熱溶着により緩衝袋４１のフィルム４５に溶着されたことを色の変化（青色が抜けたように視える）で視認できる。同様に、第２フィルム５が熱溶着により緩衝袋４１のフィルム４３に溶着されたことを色の変化（黄色が抜けたように視える）で視認できる。
又、第１非溶着部２１と第２非溶着部２３には異なる色が付けられているので、第１非溶着部２１と第２非溶着部２３の合わせ目、すなわち、空気注入口１５の位置を容易に特定することができる。
又、第２フィルム５はその端を第１フィルム３の端に対して所定量ずらした状態で重ね合されているので、それによっても、第１非溶着部２１と第２非溶着部２３の合わせ目、すなわち、空気注入口１５の位置を容易に特定することができる。本実施の形態の場合には既に述べたように第１非溶着部２１と第２非溶着部２３には異なる色が付けられているので、その構成とあいまって空気注入口１５の特定は極めて容易である。
又、逆止弁１を緩衝袋４１に取り付ける際その取付位置を容易に特定することができる。これは、逆止弁１にライン３５、３７が設けられていて、この内ライン３７を緩衝袋４１の開口部５３の縁に合せれば良いからである。
又、逆止弁１を緩衝袋４１に取り付ける際その溶着位置を容易に特定することができる。これは、逆止弁１にライン３５、３７が設けられていて、これらライン３５、３７の間で溶着すれば良いからである。
又、逆止弁１を製造する段階において、第２非溶着部２３の幅が第１非溶着部２１の幅に対して狭く設定されているので、幅方向に若干の位置ずれがあってもこれを吸収することができ、逆止弁１の製造時における位置合わせ作業が容易になる。
【００２７】
次に、図８乃至図１０を参照して本発明の第２の実施の形態を説明する。前記第１の実施の形態の場合にはフィルム状の緩衝袋を例に挙げて説明したが、この第２の実施の形態の場合にはフィルム状の緩衝・包装袋１０１を例に挙げて説明する。
【００２８】
まず、この実施の形態における緩衝・包装袋１０１は、図８に示すように、フィルム１０３とフィルム１０５を重ね合せた構成になっていて３辺を熱溶着により溶着している。図中熱溶着部を符号１０７、１０９、１１１で示す。又、上記熱溶着部１０７、１０９の間を真中で仕切るように熱溶着されている。図中熱溶着部を符号１１３で示す。
【００２９】
上記熱溶着部１０７と熱溶着部１１３の間が包装袋１１５であり、熱溶着部１１３と熱溶着部１０９の間が緩衝袋１１７である。上記包装袋１１５には開口部１１９が形成されていて、その開口部１１９を介して、例えば、長尺の管部材１２１が収容される。又、緩衝袋１１７にも開口部１２３が形成されていて、そこには既に説明した逆止弁１が取り付けられている。上記開口部１２３は逆止弁１が取り付けられる際熱溶着により閉じられる。図中熱溶着部を符号１２５で示す。
【００３０】
図８に示すのは折り重ねる前の状態であるが、包装袋１１５内に管部材１２１を挿入した後、菅部材１２１を挿入された包装袋１１５と緩衝袋１１７とを折り重ねた状態で、長尺の段ボール箱１２７内に、その側板を開いた口から挿入し、逆止弁１を介して空気の注入を行うと、図９、図１０に示すような状態とする。
【００３１】
尚、図１０では、段ボール箱１２７の天板と側板の境界部には、第１の実施の形態の場合と同様に、切起片１２９が切り起されていて開口部１３１が設けられている。上記開口部１３１を介して上記切起片１２９上には逆止弁１が引き出されている。上記逆止弁１を介してエアーガン６７によって空気の注入が行われる。それによって、緩衝袋１１７が膨張して緩衝機能が発揮される状態となる。後は上記切起片１２９を上記開口部１３１を介して段ボール箱１２７内に押し込んで出荷可能状態となる。
【００３２】
よって、前記第１の実施の形態の場合と同様の効果を奏することができるが、段ボール箱の天板と側板の境界部には、必ずしも、切起片１２９を切り起して開口部１３１を設ける必要はない。
特に、第２の実施の形態の緩衝・包装袋１０１は、包装袋１１５と緩衝袋１１７を併設、兼備しているので別々に用意する必要はない上に、長尺の被搬送体の長手の全長に沿わせて緩衝袋１１７を、長尺の段ボール箱１２７内に、その側板を開いた口から挿入することができる。
【００３３】
尚、本発明は前記第１、第２の実施の形態に限定されるものではない。
前記第１の実施の形態の場合にはフィルム状の緩衝袋を例に挙げて説明し、第２の実施の形態の場合にはフィルム状の緩衝・包装袋を例に挙げて説明したが、フィルム状の包装袋、フィルム状の梱包袋に適用することも考えられ、その他様々な袋に適用することができる。
又、緩衝袋、包装袋、緩衝・包装袋、梱包袋の構成としては様々なものが考えられる。
又、逆止弁の第１非溶着部、第２非溶着部の構成も前記第１、第２の実施の形態に限定されず、例えば、印刷以外の方法により設けたものでも良い。
又、逆止弁の第１非溶着部、第２非溶着部の色について様々な色が考えられる。
又、前記第２の実施の形態の場合には二枚のフィルムを重ねあわせて適所を溶着することにより包装袋と緩衝袋を構成したがそれに限定されるものではない。例えば、包装袋と緩衝袋を二枚のフィルムを重ねあわせてそれぞれ別個に作成する。その際、片側のみ溶着し反対側を非溶着としておく。次に、包装袋の非溶着側の側部と緩衝袋の非溶着側の側部を重ねて溶着する。その溶着部は４枚のフィルムが重なった状態となる。このような方法により緩衝・包装袋を製造しても良い。
又、包装袋を構成するフィルムと緩衝袋を構成するフィルムの材質を変えても良い。
その他、図示した構成に限定されるものではない。
【産業上の利用可能性】
【００３４】
本願発明は、逆止弁と袋に係り、特に、逆止弁を袋に取り付ける際の熱溶着により逆止弁の空気注入路が誤って閉塞されることがないように工夫したものに関し、例えば、卵、豆腐、野菜、果物、牛乳といった断熱材を必要とする飲食物、衣類、調度品といった生活用品、壊れ易い電子部品、精密機器、半導体、等の物品（以下、被搬送体という。）を搬送する場合に使用される逆止弁と袋に好適である。
【符号の説明】
【００３５】
１  逆止弁
３  第１フィルム
５  第２フィルム
７  熱溶着部
９  熱溶着部
１１  空気注入路
２１  第１非溶着部
２３  第２非溶着部
４１  緩衝袋
１０１  緩衝・包装袋
【図１】
2020148267.tif 000003
【図２】
2020148267.tif 000004
【図３】
2020148267.tif 000005
【図４】
2020148267.tif 000006
【図５】
2020148267.tif 000007
【図６】
2020148267.tif 000008
【図７】
2020148267.tif 000009
【図８】
2020148267.tif 000010
【図９】
2020148267.tif 000011
【図１０】
2020148267.tif 000012